(57)【特許請求の範囲】
【請求項１】
一次側の水または混合水を二次側に吐出するための吐出口のまわりの弁座に対し進退する止水弁と、この止水弁の軸芯部位に取付けられ水または混合水の吐出方向と同一方向に移動して前記止水弁を吐水状態から止水状態に切替える弁棒とを備えた湯水混合用の止水栓において、前記止水弁は、前記弁座に当接した状態で完全止水状態を形成する環状平板部と、完全止水状態の直前に前記弁座の内壁に摺接した状態で一次側から二次側へ漏水させる漏水流路を形成する先端部の外面が縦断面形状で円弧状に形成された環状突起部とが前記弁座に対向する側に配置されているシートパッキンを有することを特徴とする湯水混合用の止水栓。
【発明の詳細な説明】
【０００１】
【発明の属する技術分野】
この発明は、弁棒が水または混合水の吐出方向と同一方向に移動して止水弁を吐水状態から止水状態に切替える湯水混合用の止水栓に関するものである。
【０００２】
【従来の技術および発明が解決しようとする課題】
一般に、止水弁の止水方向と一次側の水または混合水の二次側への流出方向とが同一である場合、止水時の圧力上昇は過大なものがある。従来の止水弁に使用されているシートパッキンでは弁座に対向する面が平板状に形成されており、止水弁が吐出口側に移動して平板部が弁座に当接することで完全止水状態を形成していたから、一次側の圧力上昇による急激な閉止で水撃（ウォータハンマ）が発生することがあった。
【０００３】
この発明は、上記問題に鑑みてなしたもので、水撃（ウォータハンマ）を緩和させることができる湯水混合用の止水栓を提供することを目的としている。
【０００４】
【課題を解決するための手段】
上記目的を達成するために、この発明は、一次側の水または混合水を二次側に吐出するための吐出口のまわりの弁座に対し進退する止水弁と、この止水弁の軸芯部位に取付けられ水または混合水の吐出方向と同一方向に移動して前記止水弁を吐水状態から止水状態に切替える弁棒とを備えた湯水混合用の止水栓において、前記止水弁は、前記弁座に当接した状態で完全止水状態を形成する環状平板部と、完全止水状態の直前に前記弁座の内壁に摺接した状態で一次側から二次側へ漏水させる漏水流路を形成する先端部の外面が縦断面形状で円弧状に形成された環状突起部とが前記弁座に対向する側に配置されているシートパッキンを有する。
【０００５】
【作用】
シートパッキンの弁座に対向する側に弁座が当接する環状平板部の他に、先端部の外面が縦断面形状で円弧状に形成されていて弁座の内壁を水または混合水の吐出方向に摺接するよう環状突起部を設けたので、止水操作時には、弁座がシートパッキンの環状平板部に当接する完全止水状態の直前にシートパッキンの環状突起部が弁座の内壁に摺接して一次側から二次側へ漏水させる漏水流路を形成する仮の止水状態となる。この仮の止水状態では、水圧の大きさに応じて漏水が大きくなり一次側の水圧上昇による水撃（ウォータハンマ）を回避できる。
【０００６】
【発明の実施の形態】
以下、この発明の実施形態を図面に基づいて説明する。なお、それによってこの発明は限定を受けるものではない。
図１は、ホルダー１で嵌脱自在に保持されるシャワー栓２を備えたシャワー装置３を示し、図２および図３は、それぞれ、止水栓の完全止水状態および吐水状態を示す。図１〜図３において、４は、洗面台の奥側の板部５に立設された湯水混合用の止水栓（例えば、サーモ洗髪洗面混合栓）で、湯の供給管６ａおよび水の供給管６ｂが接続されている。７は、一次側の水または混合水を二次側に吐出するために前記止水栓４に設けられた吐出口で、可撓性の蛇腹管８によって保護された可撓管（図示せず）が、シャワー栓２と前記止水栓４の吐出口７とにわたって連結されている。
【０００７】
また、９ａおよび９ｂは、それぞれ湯供給用ハンドルおよび水供給用ハンドルで、１０は、止水栓４に設けられた湯水混合室である。１１は、湯水混合室１０に連通する弁室で、湯水混合室１０は両ハンドル９ａ，９ｂを介して湯の供給管６ａおよび水の供給管６ｂに接続されており、弁室１１の上部に前記ホルダー１が連設されている。そして、１２は、ビス１３を介して弁棒１４に固着され、止水・吐水状態を切替えるハンドルである。
【０００８】
１５は、吐出口７のまわりの弁座２０に対し進退する止水弁で、弁棒１４の先端に外挿されている。すなわち、止水弁１５は、弁棒１４の先端に形成された小径取付部１４ａおよび大径取付部１４ｂにそれぞれ外挿される小弁体リング１６および大弁体リング１７と、両弁体リング１６，１７間に挟持された状態で弁棒１４の小径取付部１４ａに外挿されているリング状のシートパッキン１８とから構成されている。そして、止水時には、弁棒１４が、水または混合水の吐出方向と同一方向に移動して止水弁１５を吐水状態から止水状態に切替える。
【０００９】
更に、シートパッキン１８には、弁座２０に対向する側に弁座２０の入口平坦部ａが当接する環状平板部２１の他に環状平板部２１の内側に環状突起部２２が設けられている。この環状突起部２２は、その外周部分ｃが弁座２０の環状内壁部分ｂに摺接するよう配置され、且つ、先端部の外面が縦断面形状で円弧状に形成されている（図４参照）。
【００１０】
なお、３０は、弁棒１４を回転させながらＡ方向に移動させる台形ねじ（ネジ機構）で、これは、弁棒１４後端部に形成された雄ねじと、弁箱２３に内嵌する筒体２４の内壁に形成された雌ねじとからなる。また、２５はＥリングである。
【００１１】
而して、シートパッキン１８の弁座２０に対向する側に弁座２０の入口平坦部ａが当接する環状平板部２１の他に、外周部分ｃが弁座２０の環状内壁部分ｂに摺接し、且つ、先端部の外面が縦断面形状で円弧状に形成された環状突起部２２を設けたので、止水操作時には、弁座２０の入口平坦部ａが環状平板部２１に当接する完全止水状態（図２参照）の直前に環状突起部２２の外周部分ｃが弁座２０の環状内壁部分ｂに摺接して一次側から二次側へ漏水させる漏水流路Ｍを形成する仮の止水状態（図４参照）となる。この仮の止水状態では、水圧の大きさに応じて漏水が大きく一次側の水圧上昇による水撃（ウォータハンマ）を回避できる。すなわち、止水弁１５の止水方向と一次側の水または混合水の二次側への流出方向が同一である場合、止水時の圧力上昇には過大なものがあるにもかかわらず、従来では一度にいきなり閉止する完全止水状態だけの止水操作を行っていたので水撃（ウォータハンマ）が大きすぎたのを、この実施形態では、完全止水状態の直前に仮の止水状態を形成するので、仮の止水状態で一度にいきなり閉止されることがないため、水撃（ウォータハンマ）の発生を回避できる。
【００１２】
【発明の効果】
以上説明したようにこの発明によれば、シートパッキンの弁座に対向する側に弁座が当接する環状平板部の他に弁座の内壁に摺接するよう環状突起部を設け、この環状突起部の先端部の外面を縦断面形状で円弧状に形成したので、止水操作時には、弁座がシートパッキンの環状平板部に当接する完全止水状態の直前にシートパッキンの環状突起部が弁座の内壁に摺接して一次側から二次側へ漏水させる漏水流路を形成する仮の止水状態となる。この仮の止水状態では、水圧の大きさに応じて漏水が大きくなり一次側の水圧上昇による水撃（ウォータハンマ）を回避できる。
【図面の簡単な説明】
【図１】  この発明の一実施形態における湯水混合用の止水栓が適用されるシャワー装置を示す全体構成説明図である。
【図２】  上記実施形態における完全止水状態を示す全体構成説明図である。
【図３】  上記実施形態における吐水状態を示す要部構成説明図である。
【図４】  上記実施形態における仮の止水状態を示す要部構成説明図である。
【符号の説明】
７…吐出口、１４…弁棒、１５…止水弁、１８…シートパッキン、２０…弁座、２１…環状平板部、２２…環状突起部、Ｍ…漏水流路。
【図１】
0003760002.tif 000002
【図２】
0003760002.tif 000003
【図３】
0003760002.tif 000004
【図４】
0003760002.tif 000005